(57)【要約】接続する無線ＬＡＮが変わった場合に、ユーザが無線ＬＡＮの設定を行わず、無線ＬＡＮを利用することができる携帯端末、管理装置、及び無線ＬＡＮ共用システムを提供する技術が開示され、その技術によれば、無線ＬＡＮのアクセスポイントからアクセスポイントを示す情報を受信する受信部１０１と、受信されたアクセスポイントを示す情報を、無線ＬＡＮに接続するための無線ＬＡＮ設定パラメータが格納されたデータベースを管理する管理装置に対して自身の携帯端末基地局を介して送信する送信部１０２と、無線ＬＡＮ設定パラメータを自身に設定する設定部１０３とを備え、受信部が、送信部によって送信されたアクセスポイントを示す情報に対応する無線ＬＡＮ設定パラメータを、管理装置から自身の携帯端末基地局を介して受信し、設定部が受信部によって受信された無線ＬＡＮ設定パラメータを自身に設定する。【特許請求の範囲】
【請求項１】
無線ＬＡＮのアクセスポイントから前記アクセスポイントの識別情報を受信する受信手段と、
前記受信手段によって受信された前記アクセスポイントの識別情報を、前記無線ＬＡＮに接続するための無線ＬＡＮ設定パラメータが格納されたデータベースを管理する管理装置に対して自身の携帯端末基地局を介して送信する送信手段と、
前記無線ＬＡＮ設定パラメータを自身に設定する設定手段とを備え、
前記受信手段が、前記送信手段によって送信された前記アクセスポイントの識別情報に対応する前記無線ＬＡＮ設定パラメータを、前記管理装置から自身の前記携帯端末基地局を介して受信し、
前記設定手段が、前記受信手段によって受信された前記無線ＬＡＮ設定パラメータを自身に設定する携帯端末。
【請求項２】
前記送信手段は、前記無線ＬＡＮの利用料金を支払うため、前記無線ＬＡＮの利用開始の情報を前記無線ＬＡＮの提供者の課金データベースを有する課金装置に送信する請求項１に記載の携帯端末。
【請求項３】
携帯端末から無線ＬＡＮのアクセスポイントの識別情報を携帯端末基地局を介して受信する受信手段と、
前記受信手段によって受信された前記アクセスポイントの識別情報に基づいて、前記アクセスポイントに対応する前記無線ＬＡＮに接続するための無線ＬＡＮ設定パラメータを、前記無線ＬＡＮ設定パラメータが格納されたデータベースから検索する検索手段と、
前記検索手段によって検索された前記無線ＬＡＮ設定パラメータを前記携帯端末基地局を介して前記携帯端末へ送信する送信手段とを、
備える管理装置。
【請求項４】
前記検索手段は、前記受信手段によって受信された前記アクセスポイントの識別情報に基づいて、前記アクセスポイントに対応する前記無線ＬＡＮ設定パラメータを検索した結果、検索された前記アクセスポイントに対応する前記無線ＬＡＮ設定パラメータが他の携帯端末において使用されていると判断した場合に、検索した前記アクセスポイントで使用可能であって、使用されている前記無線ＬＡＮ設定パラメータ以外の他の無線ＬＡＮ設定パラメータを選択し、
前記送信手段は、選択された前記他の無線ＬＡＮ設定パラメータを前記携帯端末基地局を介して前記携帯端末へ送信するとともに、前記無線ＬＡＮの通信網を介して前記アクセスポイントへ送信する請求項３に記載の管理装置。
【請求項５】
携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、
前記携帯端末が、前記無線ＬＡＮのアクセスポイントから送信される前記アクセスポイントの識別情報を受信し、受信された前記アクセスポイントの識別情報を、前記無線ＬＡＮに接続するための無線ＬＡＮ設定パラメータが格納された前記無線ＬＡＮ設定パラメータデータベースを管理する管理装置に対して、前記携帯端末基地局を介して送信し、
前記管理装置が、前記携帯端末から送信された前記アクセスポイントの識別情報に基づいて、前記無線ＬＡＮ設定パラメータデータベースから前記無線ＬＡＮ設定パラメータを検索し、検索された前記無線ＬＡＮ設定パラメータを前記携帯端末へ前記携帯端末基地局を介して送信し、
前記携帯端末が、前記管理装置から受信した前記無線ＬＡＮ設定パラメータを自身に設定する無線ＬＡＮ共用システム。
【請求項６】
前記管理装置が、前記携帯端末から送信された前記アクセスポイントの識別情報に基づいて、前記無線ＬＡＮ設定パラメータデータベースから前記無線ＬＡＮ設定パラメータを検索した結果、検索された前記アクセスポイントに対応する前記無線ＬＡＮ設定パラメータが他の携帯端末において使用されていると判断した場合に、検索された前記アクセスポイントで使用可能であって、使用されている前記無線ＬＡＮ設定パラメータ以外の他の無線ＬＡＮ設定パラメータを選択し、選択された前記他の無線ＬＡＮ設定パラメータを前記携帯端末基地局を介して前記携帯端末へ送信するとともに、前記無線ＬＡＮの通信網を介して前記アクセスポイントへ送信し、
前記携帯端末が、前記管理装置から受信された前記他の無線ＬＡＮ設定パラメータを自身に設定する請求項５に記載の無線ＬＡＮ共用システム。
【請求項７】
前記携帯端末は、前記無線ＬＡＮの利用料金を支払うため、前記無線ＬＡＮの利用開始の情報を前記無線ＬＡＮの提供者の課金データベースを有する課金装置に送信する請求項５又は６に記載の無線ＬＡＮ共用システム。
【請求項８】
携帯端末と、無線ＬＡＮのアクセスポイントと、携帯端末基地局と、前記携帯端末と前記携帯端末基地局を介して接続される管理装置とを備える無線ＬＡＮ共用システムであって、
前記携帯端末が、前記無線ＬＡＮのアクセスポイントから送信される前記アクセスポイントの識別情報を受信すると、あらかじめ有する無線ＬＡＮ設定パラメータの中から前記アクセスポイントに対応する無線ＬＡＮ設定パラメータを検索し、検索された前記無線ＬＡＮ設定パラメータを前記管理装置に対して前記携帯端末基地局を介して送信するとともに、検索された前記無線ＬＡＮ設定パラメータを自身に設定し、
前記管理装置が、前記携帯端末から送信された前記無線ＬＡＮ設定パラメータを前記アクセスポイントに送信し、
前記アクセスポイントが、前記管理装置から受信された前記無線ＬＡＮ設定パラメータを自身に設定する無線ＬＡＮ共用システム。
【請求項９】
前記携帯端末は、前記無線ＬＡＮの利用料金を支払うため、前記無線ＬＡＮの利用開始の情報を前記無線ＬＡＮの提供者の課金データベースを有する課金装置に送信する請求項８に記載の無線ＬＡＮ共用システム。
【請求項１０】
携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、
前記携帯端末が、前記無線ＬＡＮのアクセスポイントから送信される前記アクセスポイントの識別情報を受信すると、受信された前記アクセスポイントの識別情報を、前記管理装置に対して前記携帯端末基地局を介して送信し、
前記管理装置が、前記携帯端末から送信された前記アクセスポイントの識別情報に基づいて、前記無線ＬＡＮ設定パラメータデータベースから前記アクセスポイントに対応する無線ＬＡＮ設定パラメータを検索し、検索された前記無線ＬＡＮ設定パラメータを前記携帯端末へ前記携帯端末基地局を介して送信し、また検索された前記無線ＬＡＮ設定パラメータを前記アクセスポイントへ送信し、
前記携帯端末及び前記アクセスポイントが、前記管理装置から受信した前記無線ＬＡＮ設定パラメータをそれぞれ自身に設定する無線ＬＡＮ共用システム。
【請求項１１】
前記携帯端末は、前記無線ＬＡＮの利用料金を支払うため、前記無線ＬＡＮの利用開始の情報を前記無線ＬＡＮの提供者の課金データベースを有する課金装置に送信する請求項１０に記載の無線ＬＡＮ共用システム。
【請求項１２】
無線ＬＡＮのアクセスポイントから前記アクセスポイントの識別情報を受信する受信手段と、
前記受信手段によって前記アクセスポイントの識別情報を受信すると、所定の記憶領域に格納された無線ＬＡＮ設定パラメータの中から前記アクセスポイントに対応する無線ＬＡＮ設定パラメータを検索する検索手段と、
検索された前記無線ＬＡＮ設定パラメータを、前記アクセスポイントに送信するために、自身と携帯端末基地局を介して接続される管理装置に送信する送信手段と、
送信された前記無線ＬＡＮ設定パラメータを自身に設定する設定手段とを、
備える携帯端末。
【請求項１３】
前記送信手段は、前記無線ＬＡＮの利用料金を支払うため、前記無線ＬＡＮの利用開始の情報を前記無線ＬＡＮの提供者の課金データベースを有する課金装置に送信する請求項１２に記載の携帯端末。
【請求項１４】
携帯端末から無線ＬＡＮに接続するための無線ＬＡＮ設定パラメータを携帯端末基地局を介して受信する受信手段と、
前記受信手段によって受信された前記無線ＬＡＮ設定パラメータを、前記携帯端末が接続しようとするアクセスポイントへ送信する送信手段とを、
備える管理装置。
【請求項１５】
無線ＬＡＮのアクセスポイントから前記アクセスポイントの識別情報を受信する受信手段と、
前記受信手段によって受信された前記アクセスポイントの識別情報を、無線ＬＡＮ設定パラメータデータベースを管理する管理装置に対して携帯端末基地局を介して送信する送信手段と、
前記管理装置から前記携帯端末基地局を介して送信される、前記管理装置によって前記無線ＬＡＮ設定パラメータデータベースから検索された前記アクセスポイントに対応する無線ＬＡＮ設定パラメータを自身に設定する設定手段とを、
備える携帯端末。
【請求項１６】
前記送信手段は、前記無線ＬＡＮの利用料金を支払うため、前記無線ＬＡＮの利用開始の情報を前記無線ＬＡＮの提供者の課金データベースを有する課金装置に送信する請求項１５に記載の携帯端末。
【請求項１７】
携帯端末から無線ＬＡＮのアクセスポイントの識別情報を受信する受信手段と、
受信手段によって受信された前記アクセスポイントの識別情報に基づいて、無線ＬＡＮ設定パラメータデータベースから対応する無線ＬＡＮ設定パラメータを検索する検索手段と、
検索された前記無線ＬＡＮ設定パラメータを前記携帯端末に携帯端末基地局を介して送信し、検索された前記無線ＬＡＮ設定パラメータを前記アクセスポイントに送信する送信手段とを、
備える管理装置。
【発明の詳細な説明】
【技術分野】
【０００１】  本発明は、無線ＬＡＮへの接続機能を備えた携帯端末、携帯端末の無線ＬＡＮへの接続のパラメータを管理する管理装置、及びその携帯端末と管理装置とを含む無線ＬＡＮ共用システムに関する。
【背景技術】
【０００２】  無線ＬＡＮの普及と無線ＬＡＮデバイスの小型化、低電力化を背景に携帯電話機に無線ＬＡＮ機能を搭載できるようになった。これにより、携帯電話のような比較的長距離の伝送は可能であるが小さな伝送帯域である無線方式と、無線ＬＡＮのような短距離しか伝送できないものの広い伝送帯域を持つ無線方式とを兼ね備え、相互に補完し合うことが可能となった。ここで、携帯電話のような無線方式及び無線ＬＡＮのような無線方式の通信可能範囲を図１３に示す。図１３に示すように、携帯電話１３００における携帯電話通信可能範囲１３０２に比べ、無線ＬＡＮアクセスポイント１３０１における無線ＬＡＮ通信可能範囲１３０３は狭い。しかし、伝送帯域においては無線ＬＡＮの方が広い。上述したような相互に補完することができる携帯端末が下記の非特許文献１に開示されている。ここで、無線ＬＡＮ機器の設置利用は利用できる周波数が限られており、電波免許が不要である。また、無線ＬＡＮ機器の低価格化に伴い、多くの機器が普及した。例えば、通常のＩＥＥＥ８０２．１１規格に従うような無線ＬＡＮ機器の通信可能範囲は数１０メートルの範囲であり、単独の通信事業者が通信可能なインフラストラクチャを提供することは困難である。以上のようなことから、無線ＬＡＮ通信を提供する通信事業者（無料のものを含む）は多く存在する。よって、無線ＬＡＮ通信では使用するたびに適切なネットワーク設定を行う必要がある。必要な設定作業としては、例えば、接続する無線ＬＡＮのアクセスポイントに対応したＳＳＩＤ（Ｓｅｒｖｉｃｅ  Ｓｅｔ  Ｉｄｅｎｔｉｆｉｅｒ）及びＷＥＰ（Ｗｉｒｅｄ  Ｅｑｕｉｖａｌｅｎｔ  Ｐｒｉｖａｃｙ）キーを入力するという作業がある。
【非特許文献１】ｈｔｔｐ：／／ｉｔｐｒｏ．ｎｉｋｋｅｉｂｐ．ｃｏ．ｊｐ／ｆｒｅｅ／ＮＣＣ／ＮＥＷＳ／２００３１２０２／１３７０７６／
【０００３】  しかしながら、無線ＬＡＮを使用するためには、ネットワーク設定作業の前に以下のような手順を踏む必要がある。まず、現在位置における利用可能な無線ＬＡＮアクセスポイントを検索する。複数の無線ＬＡＮアクセスポイントが見つかった場合に、そのうちの最適な無線ＬＡＮアクセスポイントを選択する。そして、選択された無線ＬＡＮアクセスポイントに通信できるようにＳＳＩＤ及びＷＥＰキーを設定する。ここで、見つかった無線ＬＡＮアクセスポイントに対してユーザが利用可能な無線ＬＡＮアクセスポイントを特定することは容易でない場合があり、また、無線ＬＡＮは通信可能範囲が狭いため、ユーザの移動に伴って次々とユーザが適切なネットワーク設定を行う必要があり、煩雑になるという問題があった。
【発明の開示】
【０００４】  本発明は、上記問題を解決するためのものであり、接続する無線ＬＡＮが変わった場合に、ユーザが無線ＬＡＮの設定を行わず、無線ＬＡＮを利用することができる携帯端末、携帯端末の無線ＬＡＮへの接続のパラメータを管理する管理装置、及びその携帯端末と管理装置とを含む無線ＬＡＮ共用システムを提供することを目的とする。
【０００５】  上記目的を達成するために、本発明によれば、無線ＬＡＮのアクセスポイントから前記アクセスポイントの識別情報を受信する受信手段と、前記受信手段によって受信された前記アクセスポイントの識別情報を、前記無線ＬＡＮに接続するための無線ＬＡＮ設定パラメータが格納されたデータベースを管理する管理装置に対して自身の携帯端末基地局を介して送信する送信手段と、前記無線ＬＡＮ設定パラメータを自身に設定する設定手段とを備え、前記受信手段が、前記送信手段によって送信された前記アクセスポイントの識別情報に対応する前記無線ＬＡＮ設定パラメータを、前記管理装置から自身の前記携帯端末基地局を介して受信し、前記設定手段が、前記受信手段によって受信された前記無線ＬＡＮ設定パラメータを自身に設定する携帯端末が提供される。この構成により、ユーザは、接続する無線ＬＡＮが変わった場合に、無線ＬＡＮの設定を行わず、無線ＬＡＮを利用することができる。
【０００６】  また、本発明の携帯端末における前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【０００７】  また、本発明によれば、携帯端末から無線ＬＡＮのアクセスポイントの識別情報を携帯端末基地局を介して受信する受信手段と、前記受信手段によって受信された前記アクセスポイントの識別情報に基づいて、前記アクセスポイントに対応する前記無線ＬＡＮに接続するための無線ＬＡＮ設定パラメータを、前記無線ＬＡＮ設定パラメータが格納されたデータベースから検索する検索手段と、前記検索手段によって検索された前記無線ＬＡＮ設定パラメータを前記携帯端末基地局を介して前記携帯端末へ送信する送信手段とを備える管理装置が提供される。この構成により、携帯端末が適切なアクセスポイントと通信を行うことができる。
【０００８】  また、本発明の管理装置における前記検索手段が、前記受信手段によって受信された前記アクセスポイントの識別情報に基づいて、前記アクセスポイントに対応する前記無線ＬＡＮ設定パラメータを検索した結果、検索された前記アクセスポイントに対応する前記無線ＬＡＮ設定パラメータが他の携帯端末において使用されていると判断した場合に、検索した前記アクセスポイントで使用可能であって、使用されている前記無線ＬＡＮ設定パラメータ以外の他の無線ＬＡＮ設定パラメータを選択し、前記送信手段が、選択された前記他の無線ＬＡＮ設定パラメータを前記携帯端末基地局を介して前記携帯端末へ送信するとともに、前記無線ＬＡＮの通信網を介して前記アクセスポイントへ送信することは、本発明の好ましい態様である。この構成により、１つのアクセスポイントに複数の携帯端末が接続されても、アクセスポイントとそれぞれの携帯端末とは固有の無線ＬＡＮ設定パラメータで接続されているため、他の携帯端末の干渉を受けずに通信をすることができる。
【０００９】  また、本発明によれば、携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、前記携帯端末が、前記無線ＬＡＮのアクセスポイントから送信される前記アクセスポイントの識別情報を受信し、受信された前記アクセスポイントの識別情報を、前記無線ＬＡＮに接続するための無線ＬＡＮ設定パラメータが格納された前記無線ＬＡＮ設定パラメータデータベースを管理する管理装置に対して、前記携帯端末基地局を介して送信し、前記管理装置が、前記携帯端末から送信された前記アクセスポイントの識別情報に基づいて、前記無線ＬＡＮ設定パラメータデータベースから前記無線ＬＡＮ設定パラメータを検索し、検索された前記無線ＬＡＮ設定パラメータを前記携帯端末へ前記携帯端末基地局を介して送信し、前記携帯端末が、前記管理装置から受信した前記無線ＬＡＮ設定パラメータを自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１０】  また、本発明の無線ＬＡＮ共用システムにおける前記管理装置が、前記携帯端末から送信された前記アクセスポイントの識別情報に基づいて、前記無線ＬＡＮ設定パラメータデータベースから前記無線ＬＡＮ設定パラメータを検索した結果、検索された前記アクセスポイントに対応する前記無線ＬＡＮ設定パラメータが他の携帯端末において使用されていると判断した場合に、検索された前記アクセスポイントで使用可能であって、使用されている前記無線ＬＡＮ設定パラメータ以外の他の無線ＬＡＮ設定パラメータを選択し、選択された前記他の無線ＬＡＮ設定パラメータを前記携帯端末基地局を介して前記携帯端末へ送信するとともに、前記無線ＬＡＮの通信網を介して前記アクセスポイントへ送信し、前記携帯端末が、前記管理装置から受信された前記他の無線ＬＡＮ設定パラメータを自身に設定することは、本発明の好ましい態様である。この構成により、１つのアクセスポイントに複数の携帯端末が接続されても、アクセスポイントとそれぞれの携帯端末とは固有の無線ＬＡＮ設定パラメータで接続されているため、他の携帯端末の干渉を受けずに通信をすることができる。
【００１１】  また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１２】  また、本発明によれば、携帯端末と、無線ＬＡＮのアクセスポイントと、携帯端末基地局と、前記携帯端末と前記携帯端末基地局を介して接続される管理装置とを備える無線ＬＡＮ共用システムであって、前記携帯端末が、前記無線ＬＡＮのアクセスポイントから送信される前記アクセスポイントの識別情報を受信すると、あらかじめ有する無線ＬＡＮ設定パラメータの中から前記アクセスポイントに対応する無線ＬＡＮ設定パラメータを検索し、検索された前記無線ＬＡＮ設定パラメータを前記管理装置に対して前記携帯端末基地局を介して送信するとともに、検索された前記無線ＬＡＮ設定パラメータを自身に設定し、前記管理装置が、前記携帯端末から送信された前記無線ＬＡＮ設定パラメータを前記アクセスポイントに送信し、前記アクセスポイントが、前記管理装置から受信された前記無線ＬＡＮ設定パラメータを自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１３】  また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１４】  また、本発明よれば、携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、前記携帯端末が、前記無線ＬＡＮのアクセスポイントから送信される前記アクセスポイントの識別情報を受信すると、受信された前記アクセスポイントの識別情報を、前記管理装置に対して前記携帯端末基地局を介して送信し、前記管理装置が、前記携帯端末から送信された前記アクセスポイントの識別情報に基づいて、前記無線ＬＡＮ設定パラメータデータベースから前記アクセスポイントに対応する無線ＬＡＮ設定パラメータを検索し、検索された前記無線ＬＡＮ設定パラメータを前記携帯端末へ前記携帯端末基地局を介して送信し、また検索された前記無線ＬＡＮ設定パラメータを前記アクセスポイントへ送信し、前記携帯端末及び前記アクセスポイントが、前記管理装置から受信した前記無線ＬＡＮ設定パラメータをそれぞれ自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１５】  また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１６】  また、本発明によれば、無線ＬＡＮのアクセスポイントから前記アクセスポイントの識別情報を受信する受信手段と、前記受信手段によって前記アクセスポイントの識別情報を受信すると、所定の記憶領域に格納された無線ＬＡＮ設定パラメータの中から前記アクセスポイントに対応する無線ＬＡＮ設定パラメータを検索する検索手段と、検索された前記無線ＬＡＮ設定パラメータを、前記アクセスポイントに送信するために、自身と携帯端末基地局を介して接続される管理装置に送信する送信手段と、送信された前記無線ＬＡＮ設定パラメータを自身に設定する設定手段とを備える携帯端末が提供される。この構成により、ユーザは、接続する無線ＬＡＮが変わった場合に、無線ＬＡＮの設定を行わず、無線ＬＡＮを利用することができる。
【００１７】  また、本発明の携帯端末における前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１８】  また、本発明によれば、携帯端末から無線ＬＡＮに接続するための無線ＬＡＮ設定パラメータを携帯端末基地局を介して受信する受信手段と、前記受信手段によって受信された前記無線ＬＡＮ設定パラメータを、前記携帯端末が接続しようとするアクセスポイントへ送信する送信手段とを備える管理装置が提供される。この構成により、携帯端末が適切なアクセスポイントと通信を行うことができる。
【００１９】  また、本発明によれば、無線ＬＡＮのアクセスポイントから前記アクセスポイントの識別情報を受信する受信手段と、前記受信手段によって受信された前記アクセスポイントの識別情報を、無線ＬＡＮ設定パラメータデータベースを管理する管理装置に対して携帯端末基地局を介して送信する送信手段と、前記管理装置から前記携帯端末基地局を介して送信される、前記管理装置によって前記無線ＬＡＮ設定パラメータデータベースから検索された前記アクセスポイントに対応する無線ＬＡＮ設定パラメータを自身に設定する設定手段とを備える携帯端末が提供される。この構成により、ユーザは、接続する無線ＬＡＮが変わった場合に、無線ＬＡＮの設定を行わず、無線ＬＡＮを利用することができる。
【００２０】  また、本発明の携帯端末の前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００２１】  また、本発明によれば、携帯端末から無線ＬＡＮのアクセスポイントの識別情報を受信する受信手段と、受信手段によって受信された前記アクセスポイントの識別情報に基づいて、無線ＬＡＮ設定パラメータデータベースから対応する無線ＬＡＮ設定パラメータを検索する検索手段と、検索された前記無線ＬＡＮ設定パラメータを前記携帯端末に携帯端末基地局を介して送信し、検索された前記無線ＬＡＮ設定パラメータを前記アクセスポイントに送信する送信手段とを備える管理装置が提供される。この構成により、携帯端末が適切なアクセスポイントと通信を行うことができる。
【００２２】  本発明の携帯端末、管理装置、及び無線ＬＡＮ共用システムは、上記構成を有し、接続する無線ＬＡＮが変わった場合に、ユーザが無線ＬＡＮの設定を行わず、無線ＬＡＮを利用することができる。
【図面の簡単な説明】
【００２３】
【図１】本発明の第１の実施の形態に係る携帯端末の構成を示す図
【図２】本発明の第１の実施の形態に係る管理装置の構成を示す図
【図３】本発明の第１の実施の形態に係る無線ＬＡＮ共用システムの構成を示す図
【図４】本発明の第１の実施の形態に係る無線ＬＡＮ共用システムにおける無線ＬＡＮ接続フローを示すフローチャート
【図５】本発明の第２の実施の形態に係る携帯端末の構成を示す図
【図６】本発明の第２の実施の形態に係る管理装置の構成を示す図
【図７】本発明の第２の実施の形態に係る無線ＬＡＮ共用システムの構成を示す図
【図８】本発明の第２の実施の形態に係る無線ＬＡＮ共用システムにおける無線ＬＡＮ接続フローを示すフローチャート
【図９】本発明の第３の実施の形態に係る携帯端末の構成を示す図
【図１０】本発明の第３の実施の形態に係る管理装置の構成を示す図
【図１１】本発明の第３の実施の形態に係る無線ＬＡＮ共用システムの構成を示す図
【図１２】本発明の第３の実施の形態に係る無線ＬＡＮ共用システムにおける無線ＬＡＮ接続フローを示すフローチャート
【図１３】従来の携帯電話の無線方式及び無線ＬＡＮの無線方式の通信可能範囲を示す図
【発明を実施するための最良の形態】
【００２４】  ＜第１の実施の形態＞
以下、本発明の第１の実施の形態について図１から図４を用いて説明する。図１は本発明の第１の実施の形態に係る携帯端末の構成を示す図である。図２は本発明の第１の実施の形態に係る管理装置の構成を示す図である。図３は本発明の第１の実施の形態に係る無線ＬＡＮ共用システムの構成を示す図である。図４は本発明の第１の実施の形態に係る無線ＬＡＮ共用システムにおける無線ＬＡＮ接続フローを示すフローチャートである。【００２５】  まず、本発明の第１の実施の形態に係る無線ＬＡＮ共用システムの構成について図３を用いて説明する。図３に示すように、無線ＬＡＮ共用システム３００は、本発明の第１の実施の形態に係る携帯端末１００、無線ＬＡＮアクセスポイント３０１、無線ＬＡＮ設定パラメータデータベース３０２、携帯端末基地局３０３、無線ＬＡＮ設定パラメータデータベース３０２を管理する管理装置２００から構成されている。ここで、無線ＬＡＮアクセスポイント３０１は１つのみ描かれているが、１つに限られるものではなく複数あってもよい。また、無線ＬＡＮ設定パラメータデータベース３０２はインターネット３０４に接続可能な場所に存在している。また、上述した携帯端末１００は、例えば携帯電話である。【００２６】  次に、本発明の第１の実施の形態に係る無線ＬＡＮ共用システムにおける無線ＬＡＮ接続フローについて図４を用いて説明する。まず無線ＬＡＮアクセスポイント３０１は、例えば無線ＬＡＮアクセスポイント３０１を示す情報（以下、識別情報とも言う）を含むビーコン信号を通信可能範囲に間欠的にブロードキャストする。ここで、識別情報とは、無線ＬＡＮアクセスポイント３０１を一意に識別できるものを言い、例えばＩＥＥＥ８０２．１１規格でのビーコン信号における無線ＬＡＮアクセスポイント３０１のＭＡＣ（Ｍｅｄｉａ  Ａｃｃｅｓｓ  Ｃｏｎｔｒｏｌ）アドレスやＥＳＳＩＤ（Ｅｘｔｅｎｄｅｄ  Ｓｅｒｖｉｃｅ  Ｓｅｔ  Ｉｄｅｎｔｉｆｉｅｒ）、またはビーコン信号のペイロード上に載せた独自の識別情報などである。ペイロードとは、通信パケットのうちヘッダ部分を除いた転送したいデータ本体のことを言う。【００２７】  図４に示すように、携帯端末１００は、識別情報を含むビーコン信号を無線ＬＡＮアクセスポイント３０１から受信する（ステップＳ４０１）。識別情報を含むビーコン信号を受信した携帯端末１００は、受信されたビーコン信号から識別情報を取り出し、取り出した識別情報を、無線ＬＡＮに接続するための無線ＬＡＮ設定パラメータが格納された無線ＬＡＮ設定パラメータデータベース３０２を管理する管理装置２００に対して携帯端末１００自身の携帯端末基地局３０３を介して送信する（ステップＳ４０２）。この際、取り出した識別情報を、ユーザデータとして送信してもよく、また位置登録情報などと同じく制御データとして送信してもよい。また、取り出した識別情報と一緒に、携帯端末１００自身を識別するための識別情報を送信するようにしてもよい。ここで、携帯端末１００自身を識別するための識別情報とは、例えば携帯端末１００が有する電話番号、携帯端末事業者が付与する識別番号、携帯端末１００がＩＰ化した場合のＭＡＣアドレスなどが考えられる。また、無線ＬＡ��設定パラメータとしては、例えばＩＥＥＥ８０２．１１規格におけるＥＳＳＩＤやＷＥＰキーなどが考えられる。【００２８】  管理装置２００が、携帯端末１００から送信された無線ＬＡＮアクセスポイント３０１の識別情報に基づいて、無線ＬＡＮ設定パラメータデータベース３０２から無線ＬＡＮ設定パラメータを検索し、検索された無線ＬＡＮ設定パラメータを携帯端末１００へ携帯端末基地局３０３を介して送信する（ステップＳ４０３）。この際、管理装置２００は、携帯端末１００を識別するための識別情報に基づいて、該当する無線ＬＡＮアクセスポイント３０１が利用可能か否かのチェックを行うようにしてもよい。利用可能の場合であれば、有効な無線ＬＡＮ設定パラメータを送信し、利用不可の場合であれば、例えば空のパラメータを送信することにより、利用不可であることを通知するようにしてもよい。【００２９】  携帯端末１００は、管理装置２００から受信された無線ＬＡＮ設定パラメータを自身に設定する。そして、携帯端末１００は、無線ＬＡＮアクセスポイント３０１と通信を開始する。このとき、必要であれば、携帯端末１００のユーザに設定の可否を通知し、確認を得るようにしてもよい。なお、無線ＬＡＮアクセスポイント３０１を提供している事業者が有料で提供している場合に、携帯端末１００は、利用開始の情報を携帯電話網若しくは無線ＬＡＮ網を介して無線ＬＡＮアクセスポイント３０１を提供する事業者の不図示の課金データベースを有する課金装置に送信する。これにより、課金データベースに利用者の情報が登録され、無線ＬＡＮアクセスポイント３０１を提供している事業者から利用料金の請求がされる。【００３０】  次に、本発明の第１の実施の形態に係る携帯端末の構成について図１を用いて説明する。図１に示すように、携帯端末１００は、上述した無線ＬＡＮ共用システム３００の構成要素であり、受信部１０１、送信部１０２、設定部１０３から構成されており、各部はバス１０４によって接続されている。また、携帯端末１００は、外部と通信をするための不図示のインターフェースを有している。また、これらの動作を制御するためのプログラムが携帯端末１００の不図示の所定の記憶領域に記憶されている。受信部１０１は、無線ＬＡＮアクセスポイント３０１から無線ＬＡＮアクセスポイント３０１の識別情報を受信する。送信部１０２は、受信部１０１によって受信された無線ＬＡＮアクセスポイント３０１の識別情報を、無線ＬＡＮに接続するための無線ＬＡＮ設定パラメータが格納された無線ＬＡＮ設定パラメータデータベース３０２を管理する管理装置２００に対して携帯端末基地局３０３を介して送信する。設定部１０３は、受信部１０１によって受信された無線ＬＡＮ設定パラメータを携帯端末１００自身に設定する。【００３１】  次に、本発明の第１の実施の形態に係る管理装置の構成について図２を用いて説明する。図２に示すように、管理装置２００は、上述した無線ＬＡＮ共用システム３００の構成要素であり、受信部２０１、検索部２０２、送信部２０３から構成されており、各部はバス２０４によって接続されている。また、管理装置２００は、外部と通信をするための不図示のインターフェースを有している。また、これらの動作を制御するためのプログラムが管理装置２００の不図示の所定の記憶領域に記憶されている。受信部２０１は、携帯端末１００から無線ＬＡＮアクセスポイント３０１の識別情報を携帯端末基地局３０３を介して受信する。検索部２０２は、受信部２０１によって受信された無線ＬＡＮアクセスポイント３０１の識別情報に基づいて、無線ＬＡＮアクセスポイント３０１に対応する無線ＬＡＮに接続するための無線ＬＡＮ設定パラメータを、無線ＬＡＮ設定パラメータが格納された無線ＬＡＮ設定パラメータデータベース３０２から検索する。送信部２０３は、検索部２０２によって検索された無線ＬＡＮ設定パラメータを携帯端末基地局３０３を介して携帯端末１００へ送信する。【００３２】  なお、検索部２０２が、受信部２０１によって受信された無線ＬＡＮアクセスポイント３０１の識別情報に基づいて、無線ＬＡＮアクセスポイント３０１に対応する無線ＬＡＮ設定パラメータを検索した結果、検索された無線ＬＡＮアクセスポイント３０１に対応する無線ＬＡＮ設定パラメータが他の携帯端末において使用されていると判断した場合に、検索された無線ＬＡＮアクセスポイント３０１で使用可能であって、使用されている無線ＬＡＮ設定パラメータ以外の他の無線ＬＡＮ設定パラメータを選択する。そして、送信部２０３は、選択された他の無線ＬＡＮ設定パラメータを携帯端末基地局３０３を介して携帯端末１００へ送信するとともに、無線ＬＡＮの通信網を介して無線ＬＡＮアクセスポイント３０１へ送信する。これにより、１つの無線ＬＡＮアクセスポイントに複数の携帯端末が接続されても、無線ＬＡＮアクセスポイントとそれぞれの携帯端末とは固有の無線ＬＡＮ設定パラメータで接続されているため、他の携帯端末の干渉を受けずに通信をすることができる。【００３３】  ＜第２の実施の形態＞
以下、本発明の第２の実施の形態について図５から図８を用いて説明する。図５は本発明の第２の実施の形態に係る携帯端末の構成を示す図である。図６は本発明の第２の実施の形態に係る管理装置の構成を示す図である。図７は本発明の第２の実施の形態に係る無線ＬＡＮ共用システムの構成を示す図である。図８は本発明の第２の実施の形態に係る無線ＬＡＮ共用システムにおける無線ＬＡＮ接続フローを示すフローチャートである。【００３４】  本発明の第２の実施の形態に係る無線ＬＡＮ共用システムの構成を図７に示す。ここで、図７に示す本発明の第２の実施の形態に係る無線ＬＡＮ共用システムにおける無線ＬＡＮ接続フローについて図８を用いて説明する。まず、無線ＬＡＮアクセスポイント７０１は、例えば無線ＬＡＮアクセスポイント７０１を示す情報（以下、識別情報とも言う）を含むビーコン信号を通信可能範囲に間欠的にブロードキャストする。ここで、識別情報とは、第１の実施の形態において説明したものと同様であるため、説明を省略する。【００３５】  図８に示すように、携帯端末５００は、識別情報を含むビーコン信号を無線ＬＡＮアクセスポイント７０１から受信する（ステップＳ８０１）。識別情報を含むビーコン信号を受信した携帯端末５００は、あらかじめ不図示の所定の記憶領域に格納された無線ＬＡＮ設定パラメータの中から、無線ＬＡＮアクセスポイント７０１に対応する無線ＬＡＮ設定パラメータを検索し、検索された無線ＬＡＮ設定パラメータを管理装置６００に対して携帯端末基地局７０３を介して送信する（ステップＳ８０２）とともに、検索された無線ＬＡＮ設定パラメータを携帯端末５００自身に設定する。このとき、必要であれば、携帯端末５００のユーザに設定の可否を通知し、確認を得るようにしてもよい。ここで、携帯端末５００は、無線ＬＡＮ設定パラメータと共に、無線ＬＡＮアクセスポイント７０１の識別情報や携帯端末５００自身を識別するための識別情報を管理装置６００に送信するようにしてもよい。この際、無線ＬＡＮ設定パラメータ及び無線ＬＡＮアクセスポイント７０１の識別情報や携帯端末５００自身を識別するための識別情報を、ユーザデータとして送信してもよく、また位置登録情報などと同じく制御データとして送信してもよい。無線ＬＡＮ設定パラメータとしては、例えばＩＥＥＥ８０２．１１規格におけるＥＳＳＩＤやＷＥＰキーなどが考えられる。また、携帯端末５００自身を識別するための識別情報とは、例えば携帯端末５００が有する電話番号、携帯端末事業者が付与する識別番号、携帯端末５００がＩＰ化した場合のＭＡＣアドレスなどが考えられる。【００３６】  次に、管理装置６００が、携帯端末５００から送信された無線ＬＡＮ設定パラメータを無線ＬＡＮアクセスポイント７０１へ送信する（ステップＳ８０３）。この際、管理装置６００は、該当する無線ＬＡＮアクセスポイント７０１が利用可能か否かのチェックを行うようにしてもよい。利用可能の場合であれば無線ＬＡＮ設定パラメータを送信し、利用不可の場合であれば、例えば空のパラメータを携帯端末５００に送信することにより、利用不可であることを通知するようにしてもよい。【００３７】  無線ＬＡＮアクセスポイント７０１は���管理装置６００から受信した無線ＬＡＮ設定パラメータを自身に設定する。そして、携帯端末５００と無線ＬＡＮアクセスポイント７０１とは通信を開始することが可能となる。なお、無線ＬＡＮアクセスポイント７０１を提供している事業者が有料で提供している場合に、携帯端末５００は、利用開始の情報を携帯電話網若しくは無線ＬＡＮ網を介して無線ＬＡＮアクセスポイント７０１を提供する事業者の不図示の課金データベースを有する課金装置に送信する。これにより、課金データベースに利用者の情報が登録され、無線ＬＡＮアクセスポイント７０１を提供している事業者から利用料金の請求がされる。【００３８】  次に、本発明の第２の実施の形態に係る携帯端末の構成について図５を用いて説明する。携帯端末５００は、上述した無線ＬＡＮ共用システム７００の構成要素であり、受信部５０１、送信部５０２、検索部５０３、設定部５０４、記憶部５０５から構成されており、各部はバス５０６によって接続されている。また、携帯端末５００は、外部と通信をするための不図示のインターフェースを有している。また、これらの動作を制御するためのプログラムが携帯端末５００の不図示の所定の記憶領域又は記憶部５０５に記憶されている。受信部５０１は、無線ＬＡＮアクセスポイント７０１から無線ＬＡＮアクセスポイント７０１の識別情報を受信する。検索部５０３は、受信部５０１によって無線ＬＡＮアクセスポイント７０１の識別情報を受信すると、所定の記憶領域又は記憶部５０５に格納された無線ＬＡＮ設定パラメータの中から無線ＬＡＮアクセスポイント７０１に対応する無線ＬＡＮ設定パラメータを検索する。送信部５０２は、検索部５０３によって検索された無線ＬＡＮ設定パラメータを、無線ＬＡＮアクセスポイント７０１に送信するために、携帯端末５００自身と携帯端末基地局７０３を介して接続される管理装置６００に送信する。設定部５０４は、送信された無線ＬＡＮ設定パラメータを携帯端末５００自身に設定する。なお、無線ＬＡＮアクセスポイント７０１を提供している事業者が有料で提供している場合に、第１の実施の形態と同様に、携帯端末５００は、利用開始の情報を携帯電話網若しくは無線ＬＡＮ網を介して無線ＬＡＮアクセスポイント７０１を提供する事業者の不図示の課金データベースを有する課金装置に送信する。これにより、課金データベースに利用者の情報が登録され、無線ＬＡＮアクセスポイント７０１を提供している事業者から利用料金の請求がされる。【００３９】  次に、本発明の第２の実施の形態に係る管理装置の構成について図６を用いて説明する。図６に示すように、管理装置６００は、上述した無線ＬＡＮ共用システム７００の構成要素であり、受信部６０１、送信部６０２から構成されており、各部はバス６０３によって接続されている。また、管理装置６００は、外部と通信をするための不図示のインターフェースを有している。また、これらの動作を制御するためのプログラムが管理装置６００の不図示の所定の記憶領域に記憶されている。受信部６０１は、携帯端末５００から無線ＬＡＮに接続するための無線ＬＡＮ設定パラメータを携帯端末基地局７０３を介して受信する。送信部６０２は、受信部６０１によって受信された無線ＬＡＮ設定パラメータを、携帯端末５００が接続しようとする無線ＬＡＮアクセスポイント７０１へ送信する。【００４０】  ＜第３の実施の形態＞
以下、本発明の第３の実施の形態について図９から図１２を用いて説明する。図９は本発明の第３の実施の形態に係る携帯端末の構成を示す図である。図１０は本発明の第３の実施の形態に係る管理装置の構成を示す図である。図１１は本発明の第３の実施の形態に係る無線ＬＡＮ共用システムの構成を示す図である。図１２は本発明の第３の実施の形態に係る無線ＬＡＮ共用システムにおける無線ＬＡＮ接続フローを示すフローチャートである。【００４１】  本発明の第３の実施の形態に係る無線ＬＡＮ共用システムの構成を図１１に示す。ここで、図１１に示す本発明の第３の実施の形態に係る無線ＬＡＮ共用システムにおける無線ＬＡＮ接続フローについて図１２を用いて説明する。まず、無線ＬＡＮアクセスポイント１１０１は、例えば無線ＬＡＮアクセスポイント１１０１を示す情報（以下、識別情報とも言う）を含むビーコン信号を通信可能範囲に間欠的にブロードキャストする。ここで、識別情報とは、第１の実施の形態において説明したものと同様であるため、説明を省略する。【００４２】  図１２に示すように、携帯端末９００は、識別情報を含むビーコン信号を無線ＬＡＮアクセスポイント１１０１から受信する（ステップＳ１２０１）。識別情報を含むビーコン信号を受信した携帯端末９００は、受信された無線ＬＡＮアクセスポイント１１０１の識別情報を、無線ＬＡＮ設定パラメータデータベースを管理する管理装置１０００に対して携帯端末基地局１１０３を介して送信する（ステップＳ１２０２）。ここで、携帯端末９００は、無線ＬＡＮアクセスポイント１１０１の識別情報のみだけではなく、携帯端末９００自身を識別するための識別情報を送信するようにしてもよい。この際、無線ＬＡＮアクセスポイント１１０１の識別情報及び携帯端末９００自身を識別するための識別情報を、ユーザデータとして送信してもよく、また位置登録情報などと同じく制御データとして送信してもよい。ここで、携帯端末９００自身を識別するための識別情報とは、例えば携帯端末９００が有する電話番号、携帯端末事業者が付与する識別番号、携帯端末９００がＩＰ化した場合のＭＡＣアドレスなどが考えられる。【００４３】  管理装置１０００が、携帯端末９００から送信された無線ＬＡＮアクセスポイント１１０１の識別情報に基づいて、無線ＬＡＮ設定パラメータデータベースから無線ＬＡＮアクセスポイント１１０１に対応する無線ＬＡＮ設定パラメータを検索し、検索された無線ＬＡＮ設定パラメータを携帯端末９００に携帯端末基地局１１０３を介して送信し（ステップＳ１２０３）、また検索された無線ＬＡＮ設定パラメータを無線ＬＡＮアクセスポイント１１０１に送信する（ステップＳ１２０４）。この際、管理装置１０００は、携帯端末９００を識別するための識別情報に基づいて、該当する無線ＬＡＮアクセスポイント１１０１が利用可能か否かのチェックを行うようにしてもよい。利用可能の場合であれば無線ＬＡＮ設定パラメータをそれぞれに送信し、利用不可の場合であれば、例えば空のパラメータを携帯端末９００に送信することにより、利用不可であることを通知するようにしてもよい。なお、無線ＬＡＮ設定パラメータとしては、例えばＩＥＥＥ８０２．１１規格におけるＥＳＳＩＤやＷＥＰキーなどが考えられる。【００４４】  携帯端末９００は、管理装置１０００から無線ＬＡＮ設定パラメータを受信すると、無線ＬＡＮ設定パラメータを自身に設定する。また、無線ＬＡＮアクセスポイント１１０１も管理装置１０００から無線ＬＡＮ設定パラメータを受信すると、無線ＬＡＮ設定パラメータを自身に設定する。そして、携帯端末９００と無線ＬＡＮアクセスポイント１１０１とは通信をすることが可能となる。このとき、必要であれば、携帯端末９００のユーザに設定の可否を通知し、確認を得るようにしてもよい。なお、無線ＬＡＮアクセスポイント１１０１を提供している事業者が有料で提供している場合に、携帯端末９００は、利用開始の情報を携帯電話網若しくは無線ＬＡＮ網を介して無線ＬＡＮアクセスポイント１１０１を提供する事業者の不図示の課金データベースを有する課金装置に送信する。これにより、課金データベースに利用者の情報が登録され、無線ＬＡＮアクセスポイント１１０１を提供している事業者から利用料金の請求がされる。【００４５】  次に、本発明の第３の実施の形態に係る携帯端末の構成について図９を用いて説明する。図９に示すように、携帯端末９００は、上述した無線ＬＡＮ共用システム１１００の構成要素であり、受信部９０１、送信部９０２、設定部９０３から構成されており、各部はバス９０４によって接続されている。また、携帯端末９００は、外部と通信をするための不図示のインターフェースを有している。また、これらの動作を制御するためのプログラムが携帯端末９００の不図示の所定の記憶領域に記憶されている。受信部９０１は、無線ＬＡＮアクセスポイント１１０１から無線ＬＡＮアクセスポイント１１０１の識別情報を受信する。送信部９０２は、受信部９０１によって受信された無線ＬＡＮアクセスポイント１１０１の識別情報を、無線ＬＡＮ設定パラメータデータベースを管理する管理装置１０００に対して携帯端末基地局１１０３を介して送信する。設定部９０３は、管理装置１０００から携帯端末基地局１１０３を介して送信される、管理装置１０００によって無線ＬＡＮ設定パラメータデータベースから検索された無線ＬＡＮアクセスポイント１１０１に対応する無線ＬＡＮ設定パラメータを自身に設定する。【００４６】  次に、本発明の第３の実施の形態に係る管理装置の構成について図１０を用いて説明する。図１０に示すように、管理装置１０００は、上述した無線ＬＡＮ共用システム１１００の構成要素であり、受信部１００１、検索部１００２、送信部１００３から構成されており、各部はバス１００４によって接続されている。また、管理装置１０００は、外部と通信をするための不図示のインターフェースを有している。また、これらの動作を制御するためのプログラムが管理装置１０００の不図示の所定の記憶領域に記憶されている。受信部１００１は、携帯端末９００から無線ＬＡＮアクセスポイント１１０１の識別情報を受信する。検索部１００２は、受信部１００１によって受信された無線ＬＡＮアクセスポイント１１０１の識別情報に基づいて、無線ＬＡＮ設定パラメータデータベースから対応する無線ＬＡＮ設定パラメータを検索する。送信部１００３は、検索された無線ＬＡＮ設定パラメータを携帯端末９００に携帯端末基地局１１０３を介して送信し、また検索された無線ＬＡＮ設定パラメータを無線ＬＡＮアクセスポイント１１０１に送信する。【００４７】  なお、上記の本発明の各実施の形態の説明で用いた各機能ブロックは、典型的には集積回路であるＬＳＩ（Ｌａｒｇｅ  Ｓｃａｌｅ  Ｉｎｔｅｇｒａｔｉｏｎ）として実現される。これらは個別に１チップ化されてもよいし、一部又はすべてを含むように１チップ化されてもよい。なお、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。【００４８】  また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。【００４９】  さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【００５０】  本発明に係る携帯端末、管理装置、及び無線ＬＡＮ共用システムは、接続する無線ＬＡＮが変わった場合に、ユーザが無線ＬＡＮの設定を行わず、無線ＬＡＮを利用することができるため、無線ＬＡＮへの接続機能を備えた携帯端末、携帯端末の無線ＬＡＮへの接続のパラメータを管理する管理装置、及びその携帯端末と管理装置とを含む無線ＬＡＮ共用システムなどに有用である。
【図１】
2006062034.tif 000002
【図２】
2006062034.tif 000003
【図３】
2006062034.tif 000004
【図４】
2006062034.tif 000005
【図５】
2006062034.tif 000006
【図６】
2006062034.tif 000007
【図７】
2006062034.tif 000008
【図８】
2006062034.tif 000009
【図９】
2006062034.tif 000010
【図１０】
2006062034.tif 000011
【図１１】
2006062034.tif 000012
【図１２】
2006062034.tif 000013
【図１３】
2006062034.tif 000014
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
無線ＬＡＮのアクセスポイントから前記アクセスポイントの識別情報を受信する受信手段と、
前記受信手段によって受信された前記アクセスポイントの識別情報を、前記無線ＬＡＮに接続するための無線ＬＡＮ設定パラメータが格納されたデータベースを管理する管理装置に対して自身の携帯端末基地局を介して送信する送信手段と、
前記無線ＬＡＮ設定パラメータを自身に設定する設定手段とを備え、
前記受信手段が、前記送信手段によって送信された前記アクセスポイントの識別情報に対応する前記無線ＬＡＮ設定パラメータを、前記管理装置から自身の前記携帯端末基地局を介して受信し、
前記設定手段が、前記受信手段によって受信された前記無線ＬＡＮ設定パラメータを自身に設定する携帯端末。
【請求項２】
前記送信手段は、前記無線ＬＡＮの利用料金を支払うため、前記無線ＬＡＮの利用開始の情報を前記無線ＬＡＮの提供者の課金データベースを有する課金装置に送信する請求項１に記載の携帯端末。
【請求項３】
携帯端末から無線ＬＡＮのアクセスポイントの識別情報を携帯端末基地局を介して受信する受信手段と、
前記受信手段によって受信された前記アクセスポイントの識別情報に基づいて、前記アクセスポイントに対応する前記無線ＬＡＮに接続するための無線ＬＡＮ設定パラメータを、前記無線ＬＡＮ設定パラメータが格納されたデータベースから検索する検索手段と、
前記検索手段によって検索された前記無線ＬＡＮ設定パラメータを前記携帯端末基地局を介して前記携帯端末へ送信する送信手段とを、
備える管理装置。
【請求項４】
前記検索手段は、前記受信手段によって受信された前記アクセスポイントの識別情報に基づいて、前記アクセスポイントに対応する前記無線ＬＡＮ設定パラメータを検索した結果、検索された前記アクセスポイントに対応する前記無線ＬＡＮ設定パラメータが他の携帯端末において使用されていると判断した場合に、検索した前記アクセスポイントで使用可能であって、使用されている前記無線ＬＡＮ設定パラメータ以外の他の無線ＬＡＮ設定パラメータを選択し、
前記送信手段は、選択された前記他の無線ＬＡＮ設定パラメータを前記携帯端末基地局を介して前記携帯端末へ送信するとともに、前記無線ＬＡＮの通信網を介して前記アクセスポイントへ送信する請求項３に記載の管理装置。
【請求項５】
携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、
前記携帯端末が、前記無線ＬＡＮのアクセスポイントから送信される前記アクセスポイントの識別情報を受信し、受信された前記アクセスポイントの識別情報を、前記無線ＬＡＮに接続するための無線ＬＡＮ設定パラメータが格納された前記無線ＬＡＮ設定パラメータデータベースを管理する管理装置に対して、前記携帯端末基地局を介して送信し、
前記管理装置が、前記携帯端末から送信された前記アクセスポイントの識別情報に基づいて、前記無線ＬＡＮ設定パラメータデータベースから前記無線ＬＡＮ設定パラメータを検索し、検索された前記無線ＬＡＮ設定パラメータを前記携帯端末へ前記携帯端末基地局を介して送信し、
前記携帯端末が、前記管理装置から受信した前記無線ＬＡＮ設定パラメータを自身に設定する無線ＬＡＮ共用システム。
【請求項６】
前記管理装置が、前記携帯端末から送信された前記アクセスポイントの識別情報に基づいて、前記無線ＬＡＮ設定パラメータデータベースから前記無線ＬＡＮ設定パラメータを検索した結果、検索された前記アクセスポイントに対応する前記無線ＬＡＮ設定パラメータが他の携帯端末において使用されていると判断した場合に、検索された前記アクセスポイントで使用可能であって、使用されている前記無線ＬＡＮ設定パラメータ以外の他の無線ＬＡＮ設定パラメータを選択し、選択された前記他の無線ＬＡＮ設定パラメータを前記携帯端末基地局を介して前記携帯端末へ送信するとともに、前記無線ＬＡＮの通信網を介して前記アクセスポイントへ送信し、
前記携帯端末が、前記管理装置から受信された前記他の無線ＬＡＮ設定パラメータを自身に設定する請求項５に記載の無線ＬＡＮ共用システム。
【請求項７】
前記携帯端末は、前記無線ＬＡＮの利用料金を支払うため、前記無線ＬＡＮの利用開始の情報を前記無線ＬＡＮの提供者の課金データベースを有する課金装置に送信する請求項５又は６に記載の無線ＬＡＮ共用システム。
【請求項８】
携帯端末と、無線ＬＡＮのアクセスポイントと、携帯端末基地局と、前記携帯端末と前記携帯端末基地局を介して接続される管理装置とを備える無線ＬＡＮ共用システムであって、
前記携帯端末が、前記無線ＬＡＮのアクセスポイントから送信される前記アクセスポイントの識別情報を受信すると、あらかじめ有する無線ＬＡＮ設定パラメータの中から前記アクセスポイントに対応する無線ＬＡＮ設定パラメータを検索し、検索された前記無線ＬＡＮ設定パラメータを前記管理装置に対して前記携帯端末基地局を介して送信するとともに、検索された前記無線ＬＡＮ設定パラメータを自身に設定し、
前記管理装置が、前記携帯端末から送信された前記無線ＬＡＮ設定パラメータを前記アクセスポイントに送信し、
前記アクセスポイントが、前記管理装置から受信された前記無線ＬＡＮ設定パラメータを自身に設定する無線ＬＡＮ共用システム。
【請求項９】
前記携帯端末は、前記無線ＬＡＮの利用料金を支払うため、前記無線ＬＡＮの利用開始の情報を前記無線ＬＡＮの提供者の課金データベースを有する課金装置に送信する請求項８に記載の無線ＬＡＮ共用システム。
【請求項１０】
携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、
前記携帯端末が、前記無線ＬＡＮのアクセスポイントから送信される前記アクセスポイントの識別情報を受信すると、受信された前記アクセスポイントの識別情報を、前記管理装置に対して前記携帯端末基地局を介して送信し、
前記管理装置が、前記携帯端末から送信された前記アクセスポイントの識別情報に基づいて、前記無線ＬＡＮ設定パラメータデータベースから前記アクセスポイントに対応する無線ＬＡＮ設定パラメータを検索し、検索された前記無線ＬＡＮ設定パラメータを前記携帯端末へ前記携帯端末基地局を介して送信し、また検索された前記無線ＬＡＮ設定パラメータを前記アクセスポイントへ送信し、
前記携帯端末及び前記アクセスポイントが、前記管理装置から受信した前記無線ＬＡＮ設定パラメータをそれぞれ自身に設定する無線ＬＡＮ共用システム。
【請求項１１】
前記携帯端末は、前記無線ＬＡＮの利用料金を支払うため、前記無線ＬＡＮの利用開始の情報を前記無線ＬＡＮの提供者の課金データベースを有する課金装置に送信する請求項１０に記載の無線ＬＡＮ共用システム。
【請求項１２】
無線ＬＡＮのアクセスポイントから前記アクセスポイントの識別情報を受信する受信手段と、
前記受信手段によって前記アクセスポイントの識別情報を受信すると、所定の記憶領域に格納された無線ＬＡＮ設定パラメータの中から前記アクセスポイントに対応する無線ＬＡＮ設定パラメータを検索する検索手段と、
検索された前記無線ＬＡＮ設定パラメータを、前記アクセスポイントに送信するために、自身と携帯端末基地局を介して接続される管理装置に送信する送信手段と、
送信された前記無線ＬＡＮ設定パラメータを自身に設定する設定手段とを、
備える携帯端末。
【請求項１３】
前記送信手段は、前記無線ＬＡＮの利用料金を支払うため、前記無線ＬＡＮの利用開始の情報を前記無線ＬＡＮの提供者の課金データベースを有する課金装置に送信する請求項１２に記載の携帯端末。
【請求項１４】
携帯端末から無線ＬＡＮに接続するための無線ＬＡＮ設定パラメータを携帯端末基地局を介して受信する受信手段と、
前記受信手段によって受信された前記無線ＬＡＮ設定パラメータを、前記携帯端末が接続しようとするアクセスポイントへ送信する送信手段とを、
備える管理装置。
【請求項１５】
無線ＬＡＮのアクセスポイントから前記アクセスポイントの識別情報を受信する受信手段と、
前記受信手段によって受信された前記アクセスポイントの識別情報を、無線ＬＡＮ設定パラメータデータベースを管理する管理装置に対して携帯端末基地局を介して送信する送信手段と、
前記管理装置から前記携帯端末基地局を介して送信される、前記管理装置によって前記無線ＬＡＮ設定パラメータデータベースから検索された前記アクセスポイントに対応する無線ＬＡＮ設定パラメータを自身に設定する設定手段とを、
備える携帯端末。
【請求項１６】
前記送信手段は、前記無線ＬＡＮの利用料金を支払うため、前記無線ＬＡＮの利用開始の情報を前記無線ＬＡＮの提供者の課金データベースを有する課金装置に送信する請求項１５に記載の携帯端末。
【請求項１７】
携帯端末から無線ＬＡＮのアクセスポイントの識別情報を受信する受信手段と、
受信手段によって受信された前記アクセスポイントの識別情報に基づいて、無線ＬＡＮ設定パラメータデータベースから対応する無線ＬＡＮ設定パラメータを検索する検索手段と、
検索された前記無線ＬＡＮ設定パラメータを前記携帯端末に携帯端末基地局を介して送信し、検索された前記無線ＬＡＮ設定パラメータを前記アクセスポイントに送信する送信手段とを、
備える管理装置。
【手続補正２】
【補正対象書類名】明細書
【補正対象項目名】全文
【補正方法】変更
【補正の内容】
【発明の詳細な説明】
【技術分野】
【０００１】
本発明は、無線ＬＡＮへの接続機能を備えた携帯端末、携帯端末の無線ＬＡＮへの接続のパラメータを管理する管理装置、及びその携帯端末と管理装置とを含む無線ＬＡＮ共用システムに関する。
【背景技術】
【０００２】
無線ＬＡＮの普及と無線ＬＡＮデバイスの小型化、低電力化を背景に携帯電話機に無線ＬＡＮ機能を搭載できるようになった。これにより、携帯電話のような比較的長距離の伝送は可能であるが小さな伝送帯域である無線方式と、無線ＬＡＮのような短距離しか伝送できないものの広い伝送帯域を持つ無線方式とを兼ね備え、相互に補完し合うことが可能となった。ここで、携帯電話のような無線方式及び無線ＬＡＮのような無線方式の通信可能範囲を図１３に示す。図１３に示すように、携帯電話１３００における携帯電話通信可能範囲１３０２に比べ、無線ＬＡＮアクセスポイント１３０１における無線ＬＡＮ通信可能範囲１３０３は狭い。しかし、伝送帯域においては無線ＬＡＮの方が広い。上述したような相互に補完することができる携帯端末が下記の非特許文献１に開示されている。ここで、無線ＬＡＮ機器の設置利用は利用できる周波数が限られており、電波免許が不要である。また、無線ＬＡＮ機器の低価格化に伴い、多くの機器が普及した。例えば、通常のＩＥＥＥ８０２．１１規格に従うような無線ＬＡＮ機器の通信可能範囲は数１０メートルの範囲であり、単独の通信事業者が通信可能なインフラストラクチャを提供することは困難である。以上のようなことから、無線ＬＡＮ通信を提供する通信事業者（無料のものを含む）は多く存在する。よって、無線ＬＡＮ通信では使用するたびに適切なネットワーク設定を行う必要がある。必要な設定作業としては、例えば、接続する無線ＬＡＮのアクセスポイントに対応したＳＳＩＤ（Service Set Identifier）及びＷＥＰ（Wired Equivalent Privacy）キーを入力するという作業がある。
【非特許文献１】http://itpro.nikkeibp.co.jp/free/NCC/NEWS/20031202/137076/
【０００３】
しかしながら、無線ＬＡＮを使用するためには、ネットワーク設定作業の前に以下のような手順を踏む必要がある。まず、現在位置における利用可能な無線ＬＡＮアクセスポイントを検索する。複数の無線ＬＡＮアクセスポイントが見つかった場合に、そのうちの最適な無線ＬＡＮアクセスポイントを選択する。そして、選択された無線ＬＡＮアクセスポイントに通信できるようにＳＳＩＤ及びＷＥＰキーを設定する。ここで、見つかった無線ＬＡＮアクセスポイントに対してユーザが利用可能な無線ＬＡＮアクセスポイントを特定することは容易でない場合があり、また、無線ＬＡＮは通信可能範囲が狭いため、ユーザの移動に伴って次々とユーザが適切なネットワーク設定を行う必要があり、煩雑になるという問題があった。
【発明の開示】
【発明が解決しようとする課題】
【０００４】
本発明は、上記問題を解決するためのものであり、接続する無線ＬＡＮが変わった場合に、ユーザが無線ＬＡＮの設定を行わず、無線ＬＡＮを利用することができる携帯端末、携帯端末の無線ＬＡＮへの接続のパラメータを管理する管理装置、及びその携帯端末と管理装置とを含む無線ＬＡＮ共用システムを提供することを目的とする。
【課題を解決するための手段】
【０００５】
上記目的を達成するために、本発明によれば、無線ＬＡＮのアクセスポイントから前記アクセスポイントの識別情報を受信する受信手段と、前記受信手段によって受信された前記アクセスポイントの識別情報を、前記無線ＬＡＮに接続するための無線ＬＡＮ設定パラメータが格納されたデータベースを管理する管理装置に対して自身の携帯端末基地局を介して送信する送信手段と、前記無線ＬＡＮ設定パラメータを自身に設定する設定手段とを備え、前記受信手段が、前記送信手段によって送信された前記アクセスポイントの識別情報に対応する前記無線ＬＡＮ設定パラメータを、前記管理装置から自身の前記携帯端末基地局を介して受信し、前記設定手段が、前記受信手段によって受信された前記無線ＬＡＮ設定パラメータを自身に設定する携帯端末が提供される。この構成により、ユーザは、接続する無線ＬＡＮが変わった場合に、無線ＬＡＮの設定を行わず、無線ＬＡＮを利用することができる。
【０００６】
また、本発明の携帯端末における前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【０００７】
また、本発明によれば、携帯端末から無線ＬＡＮのアクセスポイントの識別情報を携帯端末基地局を介して受信する受信手段と、前記受信手段によって受信された前記アクセスポイントの識別情報に基づいて、前記アクセスポイントに対応する前記無線ＬＡＮに接続するための無線ＬＡＮ設定パラメータを、前記無線ＬＡＮ設定パラメータが格納されたデータベースから検索する検索手段と、前記検索手段によって検索された前記無線ＬＡＮ設定パラメータを前記携帯端末基地局を介して前記携帯端末へ送信する送信手段とを備える管理装置が提供される。この構成により、携帯端末が適切なアクセスポイントと通信を行うことができる。
【０００８】
また、本発明の管理装置における前記検索手段が、前記受信手段によって受信された前記アクセスポイントの識別情報に基づいて、前記アクセスポイントに対応する前記無線ＬＡＮ設定パラメータを検索した結果、検索された前記アクセスポイントに対応する前記無線ＬＡＮ設定パラメータが他の携帯端末において使用されていると判断した場合に、検索した前記アクセスポイントで使用可能であって、使用されている前記無線ＬＡＮ設定パラメータ以外の他の無線ＬＡＮ設定パラメータを選択し、前記送信手段が、選択された前記他の無線ＬＡＮ設定パラメータを前記携帯端末基地局を介して前記携帯端末へ送信するとともに、前記無線ＬＡＮの通信網を介して前記アクセスポイントへ送信することは、本発明の好ましい態様である。この構成により、１つのアクセスポイントに複数の携帯端末が接続されても、アクセスポイントとそれぞれの携帯端末とは固有の無線ＬＡＮ設定パラメータで接続されているため、他の携帯端末の干渉を受けずに通信をすることができる。
【０００９】
また、本発明によれば、携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、前記携帯端末が、前記無線ＬＡＮのアクセスポイントから送信される前記アクセスポイントの識別情報を受信し、受信された前記アクセスポイントの識別情報を、前記無線ＬＡＮに接続するための無線ＬＡＮ設定パラメータが格納された前記無線ＬＡＮ設定パラメータデータベースを管理する管理装置に対して、前記携帯端末基地局を介して送信し、前記管理装置が、前記携帯端末から送信された前記アクセスポイントの識別情報に基づいて、前記無線ＬＡＮ設定パラメータデータベースから前記無線ＬＡＮ設定パラメータを検索し、検索された前記無線ＬＡＮ設定パラメータを前記携帯端末へ前記携帯端末基地局を介して送信し、前記携帯端末が、前記管理装置から受信した前記無線ＬＡＮ設定パラメータを自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１０】
また、本発明の無線ＬＡＮ共用システムにおける前記管理装置が、前記携帯端末から送信された前記アクセスポイントの識別情報に基づいて、前記無線ＬＡＮ設定パラメータデータベースから前記無線ＬＡＮ設定パラメータを検索した結果、検索された前記アクセスポイントに対応する前記無線ＬＡＮ設定パラメータが他の携帯端末において使用されていると判断した場合に、検索された前記アクセスポイントで使用可能であって、使用されている前記無線ＬＡＮ設定パラメータ以外の他の無線ＬＡＮ設定パラメータを選択し、選択された前記他の無線ＬＡＮ設定パラメータを前記携帯端末基地局を介して前記携帯端末へ送信するとともに、前記無線ＬＡＮの通信網を介して前記アクセスポイントへ送信し、前記携帯端末が、前記管理装置から受信された前記他の無線ＬＡＮ設定パラメータを自身に設定することは、本発明の好ましい態様である。この構成により、１つのアクセスポイントに複数の携帯端末が接続されても、アクセスポイントとそれぞれの携帯端末とは固有の無線ＬＡＮ設定パラメータで接続されているため、他の携帯端末の干渉を受けずに通信をすることができる。
【００１１】
また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１２】
また、本発明によれば、携帯端末と、無線ＬＡＮのアクセスポイントと、携帯端末基地局と、前記携帯端末と前記携帯端末基地局を介して接続される管理装置とを備える無線ＬＡＮ共用システムであって、前記携帯端末が、前記無線ＬＡＮのアクセスポイントから送信される前記アクセスポイントの識別情報を受信すると、あらかじめ有する無線ＬＡＮ設定パラメータの中から前記アクセスポイントに対応する無線ＬＡＮ設定パラメータを検索し、検索された前記無線ＬＡＮ設定パラメータを前記管理装置に対して前記携帯端末基地局を介して送信するとともに、検索された前記無線ＬＡＮ設定パラメータを自身に設定し、前記管理装置が、前記携帯端末から送信された前記無線ＬＡＮ設定パラメータを前記アクセスポイントに送信し、前記アクセスポイントが、前記管理装置から受信された前記無線ＬＡＮ設定パラメータを自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１３】
また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１４】
また、本発明よれば、携帯端末と、無線ＬＡＮのアクセスポイントと、無線ＬＡＮ設定パラメータデータベースと、前記無線ＬＡＮ設定パラメータデータベースを管理する管理装置と、携帯端末基地局とを備える無線ＬＡＮ共用システムであって、前記携帯端末が、前記無線ＬＡＮのアクセスポイントから送信される前記アクセスポイントの識別情報を受信すると、受信された前記アクセスポイントの識別情報を、前記管理装置に対して前記携帯端末基地局を介して送信し、前記管理装置が、前記携帯端末から送信された前記アクセスポイントの識別情報に基づいて、前記無線ＬＡＮ設定パラメータデータベースから前記アクセスポイントに対応する無線ＬＡＮ設定パラメータを検索し、検索された前記無線ＬＡＮ設定パラメータを前記携帯端末へ前記携帯端末基地局を介して送信し、また検索された前記無線ＬＡＮ設定パラメータを前記アクセスポイントへ送信し、前記携帯端末及び前記アクセスポイントが、前記管理装置から受信した前記無線ＬＡＮ設定パラメータをそれぞれ自身に設定する無線ＬＡＮ共用システムが提供される。この構成により、ユーザは、接続する無線ＬＡＮが変わった場合に、無線ＬＡＮの設定を行わず、無線ＬＡＮを利用することができる。
【００１５】
また、本発明の無線ＬＡＮ共用システムにおける前記携帯端末が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１６】
また、本発明によれば、無線ＬＡＮのアクセスポイントから前記アクセスポイントの識別情報を受信する受信手段と、前記受信手段によって前記アクセスポイントの識別情報を受信すると、所定の記憶領域に格納された無線ＬＡＮ設定パラメータの中から前記アクセスポイントに対応する無線ＬＡＮ設定パラメータを検索する検索手段と、検索された前記無線ＬＡＮ設定パラメータを、前記アクセスポイントに送信するために、自身と携帯端末基地局を介して接続される管理装置に送信する送信手段と、送信された前記無線ＬＡＮ設定パラメータを自身に設定する設定手段とを備える携帯端末が提供される。この構成により、ユーザは、接続する無線ＬＡＮが変わった場合に、無線ＬＡＮの設定を行わず、無線ＬＡＮを利用することができる。
【００１７】
また、本発明の携帯端末における前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００１８】
また、本発明によれば、携帯端末から無線ＬＡＮに接続するための無線ＬＡＮ設定パラメータを携帯端末基地局を介して受信する受信手段と、前記受信手段によって受信された前記無線ＬＡＮ設定パラメータを、前記携帯端末が接続しようとするアクセスポイントへ送信する送信手段とを備える管理装置が提供される。この構成により、携帯端末が適切なアクセスポイントと通信を行うことができる。
【００１９】
また、本発明によれば、無線ＬＡＮのアクセスポイントから前記アクセスポイントの識別情報を受信する受信手段と、前記受信手段によって受信された前記アクセスポイントの識別情報を、無線ＬＡＮ設定パラメータデータベースを管理する管理装置に対して携帯端末基地局を介して送信する送信手段と、前記管理装置から前記携帯端末基地局を介して送信される、前記管理装置によって前記無線ＬＡＮ設定パラメータデータベースから検索された前記アクセスポイントに対応する無線ＬＡＮ設定パラメータを自身に設定する設定手段とを備える携帯端末が提供される。この構成により、ユーザは、接続する無線ＬＡＮが変わった場合に、無線ＬＡＮの設定を行わず、無線ＬＡＮを利用することができる。
【００２０】
また、本発明の携帯端末の前記送信手段が、前記無線ＬＡＮの利用料金を支払うため、前記無線ＬＡＮの利用開始の情報を前記無線ＬＡＮの提供者の課金データベースを有する課金装置に送信することは、本発明の好ましい態様である。この構成により、無線ＬＡＮの利用料金を徴収することができる。
【００２１】
また、本発明によれば、携帯端末から無線ＬＡＮのアクセスポイントの識別情報を受信する受信手段と、受信手段によって受信された前記アクセスポイントの識別情報に基づいて、無線ＬＡＮ設定パラメータデータベースから対応する無線ＬＡＮ設定パラメータを検索する検索手段と、検索された前記無線ＬＡＮ設定パラメータを前記携帯端末に携帯端末基地局を介して送信し、検索された前記無線ＬＡＮ設定パラメータを前記アクセスポイントに送信する送信手段とを備える管理装置が提供される。この構成により、携帯端末が適切なアクセスポイントと通信を行うことができる。
【発明の効果】
【００２２】
本発明の携帯端末、管理装置、及び無線ＬＡＮ共用システムは、上記構成を有し、接続する無線ＬＡＮが変わった場合に、ユーザが無線ＬＡＮの設定を行わず、無線ＬＡＮを利用することができる。
【発明を実施するための最良の形態】
【００２３】
＜第１の実施の形態＞
以下、本発明の第１の実施の形態について図１から図４を用いて説明する。図１は本発明の第１の実施の形態に係る携帯端末の構成を示す図である。図２は本発明の第１の実施の形態に係る管理装置の構成を示す図である。図３は本発明の第１の実施の形態に係る無線ＬＡＮ共用システムの構成を示す図である。図４は本発明の第１の実施の形態に係る無線ＬＡＮ共用システムにおける無線ＬＡＮ接続フローを示すフローチャートである。
【００２４】
まず、本発明の第１の実施の形態に係る無線ＬＡＮ共用システムの構成について図３を用いて説明する。図３に示すように、無線ＬＡＮ共用システム３００は、本発明の第１の実施の形態に係る携帯端末１００、無線ＬＡＮアクセスポイント３０１、無線ＬＡＮ設定パラメータデータベース３０２、携帯端末基地局３０３、無線ＬＡＮ設定パラメータデータベース３０２を管理する管理装置２００から構成されている。ここで、無線ＬＡＮアクセスポイント３０１は１つのみ描かれているが、１つに限られるものではなく複数あってもよい。また、無線ＬＡＮ設定パラメータデータベース３０２はインターネット３０４に接続可能な場所に存在している。また、上述した携帯端末１００は、例えば携帯電話である。
【００２５】
次に、本発明の第１の実施の形態に係る無線ＬＡＮ共用システムにおける無線ＬＡＮ接続フローについて図４を用いて説明する。まず無線ＬＡＮアクセスポイント３０１は、例えば無線ＬＡＮアクセスポイント３０１を示す情報（以下、識別情報とも言う）を含むビーコン信号を通信可能範囲に間欠的にブロードキャストする。ここで、識別情報とは、無線ＬＡＮアクセスポイント３０１を一意に識別できるものを言い、例えばＩＥＥＥ８０２．１１規格でのビーコン信号における無線ＬＡＮアクセスポイント３０１のＭＡＣ（Media Access Control）アドレスやＥＳＳＩＤ（Extended Service Set Identifier）、またはビーコン信号のペイロード上に載せた独自の識別情報などである。ペイロードとは、通信パケットのうちヘッダ部分を除いた転送したいデータ本体のことを言う。
【００２６】
図４に示すように、携帯端末１００は、識別情報を含むビーコン信号を無線ＬＡＮアクセスポイント３０１から受信する（ステップＳ４０１）。識別情報を含むビーコン信号を受信した携帯端末１００は、受信されたビーコン信号から識別情報を取り出し、取り出した識別情報を、無線ＬＡＮに接続するための無線ＬＡＮ設定パラメータが格納された無線ＬＡＮ設定パラメータデータベース３０２を管理する管理装置２００に対して携帯端末１００自身の携帯端末基地局３０３を介して送信する（ステップＳ４０２）。この際、取り出した識別情報を、ユーザデータとして送信してもよく、また位置登録情報などと同じく制御データとして送信してもよい。また、取り出した識別情報と一緒に、携帯端末１００自身を識別するための識別情報を送信するようにしてもよい。ここで、携帯端末１００自身を識別するための識別情報とは、例えば携帯端末１００が有する電話番号、携帯端末事業者が付与する識別番号、携帯端末１００がＩＰ化した場合のＭＡＣアドレスなどが考えられる。また、無線ＬＡＮ設定パラメータとしては、例えばＩＥＥＥ８０２．１１規格におけるＥＳＳＩＤやＷＥＰキーなどが考えられる。
【００２７】
管理装置２００が、携帯端末１００から送信された無線ＬＡＮアクセスポイント３０１の識別情報に基づいて、無線ＬＡＮ設定パラメータデータベース３０２から無線ＬＡＮ設定パラメータを検索し、検索された無線ＬＡＮ設定パラメータを携帯端末１００へ携帯端末基地局３０３を介して送信する（ステップＳ４０３）。この際、管理装置２００は、携帯端末１００を識別するための識別情報に基づいて、該当する無線ＬＡＮアクセスポイント３０１が利用可能か否かのチェックを行うようにしてもよい。利用可能の場合であれば、有効な無線ＬＡＮ設定パラメータを送信し、利用不可の場合であれば、例えば空のパラメータを送信することにより、利用不可であることを通知するようにしてもよい。
【００２８】
携帯端末１００は、管理装置２００から受信された無線ＬＡＮ設定パラメータを自身に設定する。そして、携帯端末１００は、無線ＬＡＮアクセスポイント３０１と通信を開始する。このとき、必要であれば、携帯端末１００のユーザに設定の可否を通知し、確認を得るようにしてもよい。なお、無線ＬＡＮアクセスポイント３０１を提供している事業者が有料で提供している場合に、携帯端末１００は、利用開始の情報を携帯電話網若しくは無線ＬＡＮ網を介して無線ＬＡＮアクセスポイント３０１を提供する事業者の不図示の課金データベースを有する課金装置に送信する。これにより、課金データベースに利用者の情報が登録され、無線ＬＡＮアクセスポイント３０１を提供している事業者から利用料金の請求がされる。
【００２９】
次に、本発明の第１の実施の形態に係る携帯端末の構成について図１を用いて説明する。図１に示すように、携帯端末１００は、上述した無線ＬＡＮ共用システム３００の構成要素であり、受信部１０１、送信部１０２、設定部１０３から構成されており、各部はバス１０４によって接続されている。また、携帯端末１００は、外部と通信をするための不図示のインターフェースを有している。また、これらの動作を制御するためのプログラムが携帯端末１００の不図示の所定の記憶領域に記憶されている。受信部１０１は、無線ＬＡＮアクセスポイント３０１から無線ＬＡＮアクセスポイント３０１の識別情報を受信する。送信部１０２は、受信部１０１によって受信された無線ＬＡＮアクセスポイント３０１の識別情報を、無線ＬＡＮに接続するための無線ＬＡＮ設定パラメータが格納された無線ＬＡＮ設定パラメータデータベース３０２を管理する管理装置２００に対して携帯端末基地局３０３を介して送信する。設定部１０３は、受信部１０１によって受信された無線ＬＡＮ設定パラメータを携帯端末１００自身に設定する。
【００３０】
次に、本発明の第１の実施の形態に係る管理装置の構成について図２を用いて説明する。図２に示すように、管理装置２００は、上述した無線ＬＡＮ共用システム３００の構成要素であり、受信部２０１、検索部２０２、送信部２０３から構成されており、各部はバス２０４によって接続されている。また、管理装置２００は、外部と通信をするための不図示のインターフェースを有している。また、これらの動作を制御するためのプログラムが管理装置２００の不図示の所定の記憶領域に記憶されている。受信部２０１は、携帯端末１００から無線ＬＡＮアクセスポイント３０１の識別情報を携帯端末基地局３０３を介して受信する。検索部２０２は、受信部２０１によって受信された無線ＬＡＮアクセスポイント３０１の識別情報に基づいて、無線ＬＡＮアクセスポイント３０１に対応する無線ＬＡＮに接続するための無線ＬＡＮ設定パラメータを、無線ＬＡＮ設定パラメータが格納された無線ＬＡＮ設定パラメータデータベース３０２から検索する。送信部２０３は、検索部２０２によって検索された無線ＬＡＮ設定パラメータを携帯端末基地局３０３を介して携帯端末１００へ送信する。
【００３１】
なお、検索部２０２が、受信部２０１によって受信された無線ＬＡＮアクセスポイント３０１の識別情報に基づいて、無線ＬＡＮアクセスポイント３０１に対応する無線ＬＡＮ設定パラメータを検索した結果、検索された無線ＬＡＮアクセスポイント３０１に対応する無線ＬＡＮ設定パラメータが他の携帯端末において使用されていると判断した場合に、検索された無線ＬＡＮアクセスポイント３０１で使用可能であって、使用されている無線ＬＡＮ設定パラメータ以外の他の無線ＬＡＮ設定パラメータを選択する。そして、送信部２０３は、選択された他の無線ＬＡＮ設定パラメータを携帯端末基地局３０３を介して携帯端末１００へ送信するとともに、無線ＬＡＮの通信網を介して無線ＬＡＮアクセスポイント３０１へ送信する。これにより、１つの無線ＬＡＮアクセスポイントに複数の携帯端末が接続されても、無線ＬＡＮアクセスポイントとそれぞれの携帯端末とは固有の無線ＬＡＮ設定パラメータで接続されているため、他の携帯端末の干渉を受けずに通信をすることができる。
【００３２】
＜第２の実施の形態＞
以下、本発明の第２の実施の形態について図５から図８を用いて説明する。図５は本発明の第２の実施の形態に係る携帯端末の構成を示す図である。図６は本発明の第２の実施の形態に係る管理装置の構成を示す図である。図７は本発明の第２の実施の形態に係る無線ＬＡＮ共用システムの構成を示す図である。図８は本発明の第２の実施の形態に係る無線ＬＡＮ共用システムにおける無線ＬＡＮ接続フローを示すフローチャートである。
【００３３】
本発明の第２の実施の形態に係る無線ＬＡＮ共用システムの構成を図７に示す。ここで、図７に示す本発明の第２の実施の形態に係る無線ＬＡＮ共用システムにおける無線ＬＡＮ接続フローについて図８を用いて説明する。まず、無線ＬＡＮアクセスポイント７０１は、例えば無線ＬＡＮアクセスポイント７０１を示す情報（以下、識別情報とも言う）を含むビーコン信号を通信可能範囲に間欠的にブロードキャストする。ここで、識別情報とは、第１の実施の形態において説明したものと同様であるため、説明を省略する。
【００３４】
図８に示すように、携帯端末５００は、識別情報を含むビーコン信号を無線ＬＡＮアクセスポイント７０１から受信する（ステップＳ８０１）。識別情報を含むビーコン信号を受信した携帯端末５００は、あらかじめ不図示の所定の記憶領域に格納された無線ＬＡＮ設定パラメータの中から、無線ＬＡＮアクセスポイント７０１に対応する無線ＬＡＮ設定パラメータを検索し、検索された無線ＬＡＮ設定パラメータを管理装置６００に対して携帯端末基地局７０３を介して送信する（ステップＳ８０２）とともに、検索された無線ＬＡＮ設定パラメータを携帯端末５００自身に設定する。このとき、必要であれば、携帯端末５００のユーザに設定の可否を通知し、確認を得るようにしてもよい。ここで、携帯端末５００は、無線ＬＡＮ設定パラメータと共に、無線ＬＡＮアクセスポイント７０１の識別情報や携帯端末５００自身を識別するための識別情報を管理装置６００に送信するようにしてもよい。この際、無線ＬＡＮ設定パラメータ及び無線ＬＡＮアクセスポイント７０１の識別情報や携帯端末５００自身を識別するための識別情報を、ユーザデータとして送信してもよく、また位置登録情報などと同じく制御データとして送信してもよい。無線ＬＡＮ設定パラメータとしては、例えばＩＥＥＥ８０２．１１規格におけるＥＳＳＩＤやＷＥＰキーなどが考えられる。また、携帯端末５００自身を識別するための識別情報とは、例えば携帯端末５００が有する電話番号、携帯端末事業者が付与する識別番号、携帯端末５００がＩＰ化した場合のＭＡＣアドレスなどが考えられる。
【００３５】
次に、管理装置６００が、携帯端末５００から送信された無線ＬＡＮ設定パラメータを無線ＬＡＮアクセスポイント７０１へ送信する（ステップＳ８０３）。この際、管理装置６００は、該当する無線ＬＡＮアクセスポイント７０１が利用可能か否かのチェックを行うようにしてもよい。利用可能の場合であれば無線ＬＡＮ設定パラメータを送信し、利用不可の場合であれば、例えば空のパラメータを携帯端末５００に送信することにより、利用不可であることを通知するようにしてもよい。
【００３６】
無線ＬＡＮアクセスポイント７０１は、管理装置６００から受信した無線ＬＡＮ設定パラメータを自身に設定する。そして、携帯端末５００と無線ＬＡＮアクセスポイント７０１とは通信を開始することが可能となる。なお、無線ＬＡＮアクセスポイント７０１を提供している事業者が有料で提供している場合に、携帯端末５００は、利用開始の情報を携帯電話網若しくは無線ＬＡＮ網を介して無線ＬＡＮアクセスポイント７０１を提供する事業者の不図示の課金データベースを有する課金装置に送信する。これにより、課金データベースに利用者の情報が登録され、無線ＬＡＮアクセスポイント７０１を提供している事業者から利用料金の請求がされる。
【００３７】
次に、本発明の第２の実施の形態に係る携帯端末の構成について図５を用いて説明する。携帯端末５００は、上述した無線ＬＡＮ共用システム７００の構成要素であり、受信部５０１、送信部５０２、検索部５０３、設定部５０４、記憶部５０５から構成されており、各部はバス５０６によって接続されている。また、携帯端末５００は、外部と通信をするための不図示のインターフェースを有している。また、これらの動作を制御するためのプログラムが携帯端末５００の不図示の所定の記憶領域又は記憶部５０５に記憶されている。受信部５０１は、無線ＬＡＮアクセスポイント７０１から無線ＬＡＮアクセスポイント７０１の識別情報を受信する。検索部５０３は、受信部５０１によって無線ＬＡＮアクセスポイント７０１の識別情報を受信すると、所定の記憶領域又は記憶部５０５に格納された無線ＬＡＮ設定パラメータの中から無線ＬＡＮアクセスポイント７０１に対応する無線ＬＡＮ設定パラメータを検索する。送信部５０２は、検索部５０３によって検索された無線ＬＡＮ設定パラメータを、無線ＬＡＮアクセスポイント７０１に送信するために、携帯端末５００自身と携帯端末基地局７０３を介して接続される管理装置６００に送信する。設定部５０４は、送信された無線ＬＡＮ設定パラメータを携帯端末５００自身に設定する。なお、無線ＬＡＮアクセスポイント７０１を提供している事業者が有料で提供している場合に、第１の実施の形態と同様に、携帯端末５００は、利用開始の情報を携帯電話網若しくは無線ＬＡＮ網を介して無線ＬＡＮアクセスポイント７０１を提供する事業者の不図示の課金データベースを有する課金装置に送信する。これにより、課金データベースに利用者の情報が登録され、無線ＬＡＮアクセスポイント７０１を提供している事業者から利用料金の請求がされる。
【００３８】
次に、本発明の第２の実施の形態に係る管理装置の構成について図６を用いて説明する。図６に示すように、管理装置６００は、上述した無線ＬＡＮ共用システム７００の構成要素であり、受信部６０１、送信部６０２から構成されており、各部はバス６０３によって接続されている。また、管理装置６００は、外部と通信をするための不図示のインターフェースを有している。また、これらの動作を制御するためのプログラムが管理装置６００の不図示の所定の記憶領域に記憶されている。受信部６０１は、携帯端末５００から無線ＬＡＮに接続するための無線ＬＡＮ設定パラメータを携帯端末基地局７０３を介して受信する。送信部６０２は、受信部６０１によって受信された無線ＬＡＮ設定パラメータを、携帯端末５００が接続しようとする無線ＬＡＮアクセスポイント７０１へ送信する。
【００３９】
＜第３の実施の形態＞
以下、本発明の第３の実施の形態について図９から図１２を用いて説明する。図９は本発明の第３の実施の形態に係る携帯端末の構成を示す図である。図１０は本発明の第３の実施の形態に係る管理装置の構成を示す図である。図１１は本発明の第３の実施の形態に係る無線ＬＡＮ共用システムの構成を示す図である。図１２は本発明の第３の実施の形態に係る無線ＬＡＮ共用システムにおける無線ＬＡＮ接続フローを示すフローチャートである。
【００４０】
本発明の第３の実施の形態に係る無線ＬＡＮ共用システムの構成を図１１に示す。ここで、図１１に示す本発明の第３の実施の形態に係る無線ＬＡＮ共用システムにおける無線ＬＡＮ接続フローについて図１２を用いて説明する。まず、無線ＬＡＮアクセスポイント１１０１は、例えば無線ＬＡＮアクセスポイント１１０１を示す情報（以下、識別情報とも言う）を含むビーコン信号を通信可能範囲に間欠的にブロードキャストする。ここで、識別情報とは、第１の実施の形態において説明したものと同様であるため、説明を省略する。
【００４１】
図１２に示すように、携帯端末９００は、識別情報を含むビーコン信号を無線ＬＡＮアクセスポイント１１０１から受信する（ステップＳ１２０１）。識別情報を含むビーコン信号を受信した携帯端末９００は、受信された無線ＬＡＮアクセスポイント１１０１の識別情報を、無線ＬＡＮ設定パラメータデータベースを管理する管理装置１０００に対して携帯端末基地局１１０３を介して送信する（ステップＳ１２０２）。ここで、携帯端末９００は、無線ＬＡＮアクセスポイント１１０１の識別情報のみだけではなく、携帯端末９００自身を識別するための識別情報を送信するようにしてもよい。この際、無線ＬＡＮアクセスポイント１１０１の識別情報及び携帯端末９００自身を識別するための識別情報を、ユーザデータとして送信してもよく、また位置登録情報などと同じく制御データとして送信してもよい。ここで、携帯端末９００自身を識別するための識別情報とは、例えば携帯端末９００が有する電話番号、携帯端末事業者が付与する識別番号、携帯端末９００がＩＰ化した場合のＭＡＣアドレスなどが考えられる。
【００４２】
管理装置１０００が、携帯端末９００から送信された無線ＬＡＮアクセスポイント１１０１の識別情報に基づいて、無線ＬＡＮ設定パラメータデータベースから無線ＬＡＮアクセスポイント１１０１に対応する無線ＬＡＮ設定パラメータを検索し、検索された無線ＬＡＮ設定パラメータを携帯端末９００に携帯端末基地局１１０３を介して送信し（ステップＳ１２０３）、また検索された無線ＬＡＮ設定パラメータを無線ＬＡＮアクセスポイント１１０１に送信する（ステップＳ１２０４）。この際、管理装置１０００は、携帯端末９００を識別するための識別情報に基づいて、該当する無線ＬＡＮアクセスポイント１１０１が利用可能か否かのチェックを行うようにしてもよい。利用可能の場合であれば無線ＬＡＮ設定パラメータをそれぞれに送信し、利用不可の場合であれば、例えば空のパラメータを携帯端末９００に送信することにより、利用不可であることを通知するようにしてもよい。なお、無線ＬＡＮ設定パラメータとしては、例えばＩＥＥＥ８０２．１１規格におけるＥＳＳＩＤやＷＥＰキーなどが考えられる。
【００４３】
携帯端末９００は、管理装置１０００から無線ＬＡＮ設定パラメータを受信すると、無線ＬＡＮ設定パラメータを自身に設定する。また、無線ＬＡＮアクセスポイント１１０１も管理装置１０００から無線ＬＡＮ設定パラメータを受信すると、無線ＬＡＮ設定パラメータを自身に設定する。そして、携帯端末９００と無線ＬＡＮアクセスポイント１１０１とは通信をすることが可能となる。このとき、必要であれば、携帯端末９００のユーザに設定の可否を通知し、確認を得るようにしてもよい。なお、無線ＬＡＮアクセスポイント１１０１を提供している事業者が有料で提供している場合に、携帯端末９００は、利用開始の情報を携帯電話網若しくは無線ＬＡＮ網を介して無線ＬＡＮアクセスポイント１１０１を提供する事業者の不図示の課金データベースを有する課金装置に送信する。これにより、課金データベースに利用者の情報が登録され、無線ＬＡＮアクセスポイント１１０１を提供している事業者から利用料金の請求がされる。
【００４４】
次に、本発明の第３の実施の形態に係る携帯端末の構成について図９を用いて説明する。図９に示すように、携帯端末９００は、上述した無線ＬＡＮ共用システム１１００の構成要素であり、受信部９０１、送信部９０２、設定部９０３から構成されており、各部はバス９０４によって接続されている。また、携帯端末９００は、外部と通信をするための不図示のインターフェースを有している。また、これらの動作を制御するためのプログラムが携帯端末９００の不図示の所定の記憶領域に記憶されている。受信部９０１は、無線ＬＡＮアクセスポイント１１０１から無線ＬＡＮアクセスポイント１１０１の識別情報を受信する。送信部９０２は、受信部９０１によって受信された無線ＬＡＮアクセスポイント１１０１の識別情報を、無線ＬＡＮ設定パラメータデータベースを管理する管理装置１０００に対して携帯端末基地局１１０３を介して送信する。設定部９０３は、管理装置１０００から携帯端末基地局１１０３を介して送信される、管理装置１０００によって無線ＬＡＮ設定パラメータデータベースから検索された無線ＬＡＮアクセスポイント１１０１に対応する無線ＬＡＮ設定パラメータを自身に設定する。
【００４５】
次に、本発明の第３の実施の形態に係る管理装置の構成について図１０を用いて説明する。図１０に示すように、管理装置１０００は、上述した無線ＬＡＮ共用システム１１００の構成要素であり、受信部１００１、検索部１００２、送信部１００３から構成されており、各部はバス１００４によって接続されている。また、管理装置１０００は、外部と通信をするための不図示のインターフェースを有している。また、これらの動作を制御するためのプログラムが管理装置１０００の不図示の所定の記憶領域に記憶されている。受信部１００１は、携帯端末９００から無線ＬＡＮアクセスポイント１１０１の識別情報を受信する。検索部１００２は、受信部１００１によって受信された無線ＬＡＮアクセスポイント１１０１の識別情報に基づいて、無線ＬＡＮ設定パラメータデータベースから対応する無線ＬＡＮ設定パラメータを検索する。送信部１００３は、検索された無線ＬＡＮ設定パラメータを携帯端末９００に携帯端末基地局１１０３を介して送信し、また検索された無線ＬＡＮ設定パラメータを無線ＬＡＮアクセスポイント１１０１に送信する。
【００４６】
なお、上記の本発明の各実施の形態の説明で用いた各機能ブロックは、典型的には集積回路であるＬＳＩ（Large Scale Integration）として実現される。これらは個別に１チップ化されてもよいし、一部又はすべてを含むように１チップ化されてもよい。なお、ここでは、ＬＳＩとしたが、集積度の違いにより、ＩＣ（Integrated Circuit）、システムＬＳＩ、スーパーＬＳＩ、ウルトラＬＳＩと呼称されることもある。
【００４７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００４８】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【産業上の利用可能性】
【００４９】
本発明に係る携帯端末、管理装置、及び無線ＬＡＮ共用システムは、接続する無線ＬＡＮが変わった場合に、ユーザが無線ＬＡＮの設定を行わず、無線ＬＡＮを利用することができるため、無線ＬＡＮへの接続機能を備えた携帯端末、携帯端末の無線ＬＡＮへの接続のパラメータを管理する管理装置、及びその携帯端末と管理装置とを含む無線ＬＡＮ共用システムなどに有用である。
【図面の簡単な説明】
【００５０】
【図１】本発明の第１の実施の形態に係る携帯端末の構成を示す図
【図２】本発明の第１の実施の形態に係る管理装置の構成を示す図
【図３】本発明の第１の実施の形態に係る無線ＬＡＮ共用システムの構成を示す図
【図４】本発明の第１の実施の形態に係る無線ＬＡＮ共用システムにおける無線ＬＡＮ接続フローを示すフローチャート
【図５】本発明の第２の実施の形態に係る携帯端末の構成を示す図
【図６】本発明の第２の実施の形態に係る管理装置の構成を示す図
【図７】本発明の第２の実施の形態に係る無線ＬＡＮ共用システムの構成を示す図
【図８】本発明の第２の実施の形態に係る無線ＬＡＮ共用システムにおける無線ＬＡＮ接続フローを示すフローチャート
【図９】本発明の第３の実施の形態に係る携帯端末の構成を示す図
【図１０】本発明の第３の実施の形態に係る管理装置の構成を示す図
【図１１】本発明の第３の実施の形態に係る無線ＬＡＮ共用システムの構成を示す図
【図１２】本発明の第３の実施の形態に係る無線ＬＡＮ共用システムにおける無線ＬＡＮ接続フローを示すフローチャート
【図１３】従来の携帯電話の無線方式及び無線ＬＡＮの無線方式の通信可能範囲を示す図
【手続補正３】
【補正対象書類名】図面
【補正対象項目名】全図
【補正方法】変更
【補正の内容】
【図１】
2006062034.tif 000015
【図２】
2006062034.tif 000016
【図３】
2006062034.tif 000017
【図４】
2006062034.tif 000018
【図５】
2006062034.tif 000019
【図６】
2006062034.tif 000020
【図７】
2006062034.tif 000021
【図８】
2006062034.tif 000022
【図９】
2006062034.tif 000023
【図１０】
2006062034.tif 000024
【図１１】
2006062034.tif 000025
【図１２】
2006062034.tif 000026
【図１３】
2006062034.tif 000027
【国際調査報告】
2006062034.tif 000028
2006062034.tif 000029
2006062034.tif 000030
2006062034.tif 000031